(57)【要約】【課題】寿命を超えた使用による不具合の発生を防止する。【解決手段】主回路部Ｅの出力端間に２つの分圧抵抗Ｒ１１，Ｒ１２の直列回路が接続されるとともに、一方の分圧抵抗Ｒ１１と主回路部Ｅの高電位側の出力端との間に寿命時断線部３０が挿入され、主回路部Ｅの出力電圧Ｖdcを分圧抵抗Ｒ１１，Ｒ１２で分圧した検出電圧Ｖｍが制御部１００に入力されている。制御部１００は、検出電圧Ｖｍが所望の値となるように駆動回路２から出力する駆動信号のオンデューティ比を調整するフィードバック制御（ＰＷＭ制御）を行うものであって、寿命時断線部３０が断線して検出電圧Ｖｍがゼロとなったときに駆動回路２による駆動信号の出力を停止させると同時に駆動回路１６による駆動信号の出力を停止させることで主回路部Ｅ並びに電力変換回路９の双方の動作を停止させる。【選択図】図１
2007288978.tif 000002
【特許請求の範囲】
【請求項１】
直流又は交流の入力を所望の直流若しくは交流の出力に変換する主回路部と、主回路部を構成する複数の回路部品が実装されるとともに各回路部品間の電気配線となる導体パターンが表面に形成されたプリント配線板と、箱状に形成され内部にプリント配線板を収納し且つウレタン樹脂が充填されたケースとを備えた電源装置であって、
前記導体パターンにおける直流電圧が印加される１乃至複数箇所に、経時的な劣化が相対的に進行し易く且つ寿命末期には劣化によって断線する寿命時断線部が設けられたことを特徴とする電源装置。
【請求項２】
前記導体パターンのうちで直流電圧が印加される箇所が絶縁性を有する保護膜で覆われ、前記導体パターンを幅方向に横切り且つ前記保護膜が存在しないスリットで前記寿命時断線部が形成されたことを特徴とする請求項１記載の電源装置。
【請求項３】
前記導体パターンの幅寸法を相対的に細くすることで前記寿命時断線部が形成されたことを特徴とする請求項１記載の電源装置。
【請求項４】
前記主回路部の動作を制御するとともに前記寿命時断線部が断線した場合に主回路部の動作を停止させる制御部を備えたことを特徴とする請求項１〜３の何れか１項に記載の電源装置。
【請求項５】
前記主回路部若しくは制御部を構成する回路部品のうちで相対的に発熱量の多い回路部品の近傍に前記寿命時断線部が設けられたことを特徴とする請求項１〜４の何れか１項に記載の電源装置。
【請求項６】
前記寿命時断線部は、前記プリント配線板における回路部品の実装面側に設けられたことを特徴とする請求項１〜５の何れか１項に記載の電源装置。
【請求項７】
周囲の温度又は湿度を検出する検出手段と、検出手段の検出値が所定のしきい値以下のときに前記寿命時断線部における導体パターンの幅寸法を見かけ上細くする手段とを備えたことを特徴とする請求項３記載の電源装置。
【請求項８】
周囲の温度又は湿度を検出する検出手段と、検出手段の検出値が所定のしきい値以下のときに前記寿命時断線部に印加される直流電圧を高くする手段とを備えたことを特徴とする請求項１〜６の何れか１項に記載の電源装置。
【請求項９】
周囲の温度又は湿度を検出する検出手段と、前記寿命時断線部を幅方向に挟んで対向配置された一対の電極と、検出手段の検出値が所定のしきい値以下のときに前記電極間に印加する電圧を高くする手段とを備えたことを特徴とする請求項１〜６の何れか１項に記載の電源装置。
【請求項１０】
周囲の温度を検出する温度検出手段と、温度検出手段の検出値が所定のしきい値以下のときに前記発熱部品の発熱量を増大させる手段とを備えたことを特徴とする請求項５記載の電源装置。
【請求項１１】
温度又は湿度によって劣化の進行度合いが異なる複数の前記寿命時断線部が設けられたことを特徴とする請求項１〜１０の何れか１項に記載の電源装置。
【請求項１２】
請求項１〜１１の何れか１項に記載された電源装置と、該電源装置から供給される直流電力を高周波電力に変換する高周波電源部と、無電極放電灯の近傍に設けられ前記高周波電源部の出力端に接続された誘導コイルとを備えたことを特徴とする無電極放電灯点灯装置。
【請求項１３】
請求項１２記載の無電極放電灯点灯装置と、無電極放電灯を保持するランプソケットとを備えたことを特徴とする照明器具。
【発明の詳細な説明】
【技術分野】
【０００１】
本発明は、電源装置並びに無電極放電灯点灯装置、照明器具に関するものである。
【背景技術】
【０００２】
従来、直流又は交流の入力を所望の直流若しくは交流の出力に変換する主回路部と、主回路部を構成する複数の回路部品が実装されるとともに各回路部品間の電気配線となる導体パターンが表面に形成されたプリント配線板と、箱状に形成され内部にプリント配線板を収納し且つウレタン樹脂が充填されたケースとを備えた電源装置が提供されている（例えば、特許文献１参照）。
【特許文献１】特開平９−４６０７２号公報
【発明の開示】
【発明が解決しようとする課題】
【０００３】
ところで、電源装置が回路部品の寿命を超えて使用された場合、性能が低下するだけでなく、回路部品が異常に発熱したり、負荷に悪影響を与えるというような不具合の生じる可能性があった。
【０００４】
本発明は上記事情に鑑みて為されたものであり、その目的は、寿命を超えた使用による不具合の発生が防止できる電源装置並びに無電極放電灯点灯装置、照明器具を提供することにある。
【課題を解決するための手段】
【０００５】
請求項１の発明は、上記目的を達成するために、直流又は交流の入力を所望の直流若しくは交流の出力に変換する主回路部と、主回路部を構成する複数の回路部品が実装されるとともに各回路部品間の電気配線となる導体パターンが表面に形成されたプリント配線板と、箱状に形成され内部にプリント配線板を収納し且つウレタン樹脂が充填されたケースとを備えた電源装置であって、前記導体パターンにおける直流電圧が印加される１乃至複数箇所に、経時的な劣化が相対的に進行し易く且つ寿命末期には劣化によって断線する寿命時断線部が設けられたことを特徴とする。
【０００６】
請求項２の発明は、請求項１の発明において、前記導体パターンのうちで直流電圧が印加される箇所が絶縁性を有する保護膜で覆われ、前記導体パターンを幅方向に横切り且つ前記保護膜が存在しないスリットで前記寿命時断線部が形成されたことを特徴とする。
【０００７】
請求項３の発明は、請求項１の発明において、前記導体パターンの幅寸法を相対的に細くすることで前記寿命時断線部が形成されたことを特徴とする。
【０００８】
請求項４の発明は、請求項１〜３の何れかの発明において、前記主回路部の動作を制御するとともに前記寿命時断線部が断線した場合に主回路部の動作を停止させる制御部を備えたことを特徴とする。
【０００９】
請求項５の発明は、請求項１〜４の何れかの発明において、前記主回路部若しくは制御部を構成する回路部品のうちで相対的に発熱量の多い回路部品の近傍に前記寿命時断線部が設けられたことを特徴とする。
【００１０】
請求項６の発明は、請求項１〜５の何れかの発明において、前記寿命時断線部は、前記プリント配線板における回路部品の実装面側に設けられたことを特徴とする。
【００１１】
請求項７の発明は、請求項３の発明において、周囲の温度又は湿度を検出する検出手段と、検出手段の検出値が所定のしきい値以下のときに前記寿命時断線部における導体パターンの幅寸法を見かけ上細くする手段とを備えたことを特徴とする。
【００１２】
請求項８の発明は、請求項１〜６の何れかの発明において、周囲の温度又は湿度を検出する検出手段と、検出手段の検出値が所定のしきい値以下のときに前記寿命時断線部に印加される直流電圧を高くする手段とを備えたことを特徴とする。
【００１３】
請求項９の発明は、請求項１〜６の何れかの発明において、周囲の温度又は湿度を検出する検出手段と、前記寿命時断線部を幅方向に挟んで対向配置された一対の電極と、検出手段の検出値が所定のしきい値以下のときに前記電極間に印加する電圧を高くする手段とを備えたことを特徴とする。
【００１４】
請求項１０の発明は、請求項５の発明において、周囲の温度を検出する温度検出手段と、温度検出手段の検出値が所定のしきい値以下のときに前記発熱部品の発熱量を増大させる手段とを備えたことを特徴とする。
【００１５】
請求項１１の発明は、請求項１〜１０の何れかの発明において、温度又は湿度によって劣化の進行度合いが異なる複数の前記寿命時断線部が設けられたことを特徴とする。
【００１６】
請求項１２の発明は、上記目的を達成するために、請求項１〜１１の何れか１項に記載された電源装置と、該電源装置から供給される直流電力を高周波電力に変換する高周波電源部と、無電極放電灯の近傍に設けられ前記高周波電源部の出力端に接続された誘導コイルとを備えたことを特徴とする。
【００１７】
請求項１３の発明は、上記目的を達成するために、請求項１２記載の無電極放電灯点灯装置と、無電極放電灯を保持するランプソケットとを備えたことを特徴とする。
【発明の効果】
【００１８】
請求項１，１２，１３の各発明によれば、寿命時断線部が断線すると電源装置、無電極放電灯点灯装置、照明器具が正常に動作しないために寿命を超えて使用されることがないから、寿命を超えた使用による不具合の発生が防止できる電源装置並びに無電極放電灯点灯装置、照明器具が提供できる。
【００１９】
請求項２の発明によれば、ウレタン樹脂が加水分解して生じる酸によって、保護膜で保護されていない寿命時断線部が相対的に早く劣化することになるから、寿命に達した場合により確実に断線させることができ、且つ回路部品の追加無しに寿命時断線部を容易に形成することができる。
【００２０】
請求項３の発明によれば、ウレタン樹脂が加水分解して生じる酸によって、導体パターンの幅寸法を細くすることで形成された寿命時断線部が相対的に早く劣化することになるから、寿命に達した場合により確実に断線させることができ、且つ回路部品の追加無しに寿命時断線部を容易に形成することができる。
【００２１】
請求項４の発明によれば、寿命時断線部が断線したときに制御部が主回路部の動作を停止するから、寿命を超えた使用による不具合の発生がより確実に防止できる。
【００２２】
請求項５の発明によれば、熱によって寿命時断線部の劣化が加速されるため、寿命に達した場合により確実に断線させることができる。
【００２３】
請求項６の発明によれば、空気中の水分（湿気）によって寿命時断線部の劣化が加速されるため、寿命に達した場合により確実に断線させることができる。
【００２４】
請求項７〜９の発明によれば、しきい値以下となる低温度時又は低湿度時に、寿命時断線部における導体パターンの幅寸法を見かけ上細くするか、寿命時断線部に印加される直流電圧を高くするか、あるいは寿命時断線部を幅方向に挟んで対向配置された一対の電極間に印加する電圧を高くするので、寿命時断線部以外の部分が寿命に達する前に寿命時断線部を確実に断線させることができる。
【００２５】
請求項１０の発明によれば、しきい値以下となる低温度時に、寿命時断線部の近傍にある発熱部品の発熱量を増大させるので、寿命時断線部以外の部分が寿命に達する前に寿命時断線部を確実に断線させることができる。
【００２６】
請求項１１の発明によれば、温度又は湿度によって劣化の進行度合いが異なる複数の前記寿命時断線部が設けられているので、様々な温度条件及び湿度条件のもとでも寿命時断線部以外の部分が寿命に達する前に寿命時断線部を確実に断線させることができる。
【発明を実施するための最良の形態】
【００２７】
以下、本発明の技術思想を無電極放電灯点灯装置に適用した実施形態について、図面を参照して詳細に説明する。但し、本発明の技術思想が適用可能な電源装置は無電極放電灯点灯装置に限定されるものではない。
【００２８】
（実施形態１）
図１に本実施形態の無電極放電灯点灯装置の回路図を示す。本実施形態の無電極放電灯点灯装置は、特開２００５−１５８４６４公報に開示されているものと基本構成が共通であって、商用交流電源ＡＣの交流出力から所望の直流出力を作成する主回路部Ｅと、主回路部Ｅの直流出力を高周波出力に変換して無電極放電灯６の近傍に配置された誘導コイル５に供給する電力変換回路９と、無電極放電灯６の始動時に電力変換回路９の出力電圧を徐々に上昇させて無電極放電灯６を始動する始動回路１３と、電力変換回路９の出力電圧（誘導コイル５の印加電圧）Ｖｘを検出する電圧検出回路１４とを備える。主回路部Ｅは、交流電源ＡＣの交流出力を整流する整流回路１０と、インダクタＬ１０、ダイオードＤ１０、スイッチング素子Ｑ６、平滑コンデンサＣ１０並びにスイッチング素子Ｑ６を駆動する駆動回路２を具備した従来周知の昇圧チョッパ回路からなる。また電力変換回路９は、主回路部Ｅの出力端間に直列接続された一対のスイッチング素子Ｑ３，Ｑ４を具備し、ローサイドのスイッチング素子Ｑ４にインダクタＬｓ、コンデンサＣｐ，Ｃｓからなる共振回路が接続された所謂ハーフブリッジ型のインバータ回路で構成され、電界効果トランジスタからなる一対のスイッチング素子Ｑ３，Ｑ４を、駆動回路１６から出力される矩形波パルスの駆動信号ＶDH，ＶDLにより交互にスイッチングすることで共振回路を介して誘導コイル５に高周波出力を供給する。なお、スイッチング素子Ｑ３を駆動する駆動信号ＶDHとスイッチング素子Ｑ４を駆動する駆動信号ＶDLは略１８０度の位相差を有している。電圧検出回路１４は整流用のダイオード、分圧用の抵抗、平滑用のコンデンサ等からなり、出力電圧Ｖｘに応じた直流電圧である検出電圧Ｖxsを始動回路１３に出力する。
【００２９】
一方、始動回路１３は、主回路部Ｅの出力電圧Ｖdcを降圧・安定化して得られる動作電圧Ｖｄにより感温抵抗Ｒ１を介して充電されるコンデンサＣ１と、オペアンプＯＰ１に入力抵抗および帰還抵抗を接続してなり、コンデンサＣ１の両端電圧Ｖc1と電圧検出回路１４の検出電圧Ｖxsの差分を増幅する誤差増幅器と、コンデンサＣ１と並列に接続された分圧抵抗Ｒ２と、コンデンサＣ１と並列に接続された放電用のスイッチＳＷとを具備し、後述するように抵抗Ｒ１とコンデンサＣ１からなる充電回路の時定数（＝抵抗Ｒ１の抵抗値とコンデンサＣ１の容量値の積）に応じて出力電圧Ｖｆが徐々に上昇するものである。そして、始動回路１３の出力電圧Ｖｆが電圧制御発振器（ＶＣＯ）からなる駆動回路１６に入力されており、駆動回路１６は始動回路１３の出力電圧Ｖｆの上昇に応じて駆動信号ＶDH，ＶDLの周波数を徐々に減少させている。
【００３０】
また、共振回路に流れる共振電流を検出する電流検出回路と、電流検出回路の検出電流を参照して電力変換回路９の出力電圧Ｖｘが所望のレベルとなるように駆動回路１６を制御して駆動信号ＶDH，ＶDLの周波数（動作周波数）ｆinvを変化させる制御回路１７を備え、駆動回路１６が、始動回路１３が出力する第１の制御出力（第１の制御電流Ｉsw）と、制御回路１７が出力する第２の制御出力（第２の制御電流Ｉfb）とを加算した制御出力（制御電流）Ｉｏに応じて動作周波数ｆinvを変化させる。
【００３１】
電流検出回路は、電力変換回路９を構成するローサイドのスイッチング素子Ｑ４と回路のグランドとの間に接続された検出抵抗Ｒｄからなり、スイッチング素子Ｑ４に流れる高周波電流（共振回路に流れる共振電流）に応じた検出電圧ＶRdを制御回路１７に出力している。
【００３２】
制御回路１７は、オペアンプＯＰ２に入力抵抗等を接続してなり、基準電圧Ｖrefと電流検出回路の検出電圧ＶRdの差分を増幅する誤差増幅器（差動増幅器）と、抵抗を介してオペアンプＯＰ２の出力端子にカソードが接続されたダイオードＤ２とを具備する。オペアンプＯＰ２は、基準電圧Ｖrefが非反転端子に入力されるとともに、反転端子と出力端子の間に抵抗Ｒ１０とコンデンサＣ１１の並列回路からなる遅延回路が接続されている。また、始動回路１３の誤差増幅器を構成するオペアンプＯＰ１の出力端子にも抵抗を介してダイオードＤ１のカソードが接続されており、これら２つのダイオードＤ１，Ｄ２のアノードが駆動回路１６の入力端子に並列接続されている。ここで、駆動回路１６の入力端子には定電圧（入力端子電圧）が印加されており、始動回路１３の誤差増幅器の出力電圧（オペアンプＯＰ１の出力端子電圧）が駆動回路１６の入力端子電圧よりも小さいときにダイオードＤ１が導通してその電位差に応じた第１の制御電流Ｉswが流れるとともに、制御回路１７の誤差増幅器の出力電圧（オペアンプＯＰ２の出力端子電圧）が駆動回路１６の入力端子電圧よりも小さいときにダイオードＤ２が導通してその電位差に応じた第２の制御電流Ｉfbが流れる。故に、駆動回路１６の入力端子から流れ出る制御電流Ｉｏの大きさは第１および第２の制御電流Ｉsw，Ｉfbの和となる。
【００３３】
一方、駆動回路１６は発振器を具備しており、入力端子から始動回路１３並びに制御回路１７の出力端子へ流れる制御電流Ｉｏに応じて発振器の発振周波数を変化させ、制御電流Ｉｏに比例して駆動信号ＶDH，ＶDLの周波数（動作周波数）ｆinvを増減している。したがって、始動回路１３並びに制御回路１７の誤差増幅器の出力電圧が大きくなるほど駆動回路１６の動作周波数ｆinvは減少することになる。
【００３４】
交流電源ＡＣから主回路部Ｅへの電源供給が開始されてスイッチＳＷがオンからオフに切り替わると、主回路部Ｅの出力電圧Ｖdcが立ち上がり、動作電圧ＶｄによってコンデンサＣ１が充電されてオペアンプＯＰ１の出力電圧が徐々に上昇し、それに伴って第１の制御電流Ｉswが徐々に減少する。一方、この時点では電力変換回路９の出力電流（共振電流）は略ゼロであるからその検出電圧ＶRdも略ゼロとなり、制御回路１７の誤差増幅器を構成するオペアンプＯＰ１の出力電圧Ｖｎは基準電圧Ｖrefに応じた初期値（最大値）となる。そして、時間の経過とともに電力変換回路９の出力電流が増加して検出電圧ＶRdも増加し、それに合わせてオペアンプＯＰ２の出力電圧Ｖｎが減少するが、抵抗Ｒ１０およびコンデンサＣ１１からなる遅延回路のはたらきで誤差増幅器の出力電圧は初期値（略ゼロ）から増加せず、制御回路１７の第２の制御電流Ｉfbもほぼゼロとなる。したがって、オペアンプＯＰ２の出力電圧Ｖｎが駆動回路１６の入力端子電圧よりも高電圧である間は第２の制御電流Ｉfbが略ゼロとなり、制御出力Ｉｏが第１の制御出力Ｉswとほぼ一致するため、制御回路１７による動作周波数ｆinvのフィードバック制御が行われず、従来例で説明したように始動回路１３から出力される第１の制御電流Ｉswによって動作周波数ｆinvを徐々に減少させる制御のみが行われる。
【００３５】
そして、始動回路１３により駆動回路１６の動作周波数ｆinvが徐々に減少して始動周波数ｆｍに達すると、電力変換回路９の出力電圧Ｖｘが始動電圧に達し、無電極放電灯６が点灯して特性が変化することで出力電圧Ｖｘが下降する。さらに、無電極放電灯６が点灯した後も始動回路１３は動作周波数ｆinvを始動終了周波数ｆｅまで減少させる。ここで、制御回路１７における遅延回路の遅延時間は無電極放電灯６が始動点灯するまでに要する時間程度に設定されており、それ以降はオペアンプＯＰ２の出力電圧Ｖｎと駆動回路１６の入力端子電圧の電位差に応じて第２の制御電流Ｉfbが流れるため、制御電流Ｉｏの増加とともに動作周波数ｆinvも増加し、電力変換回路９の出力電圧Ｖｘが減少することになる。なお、駆動回路１６の動作周波数ｆinvは、共振電流が無電極放電灯６の定格点灯持における所望のレベルに一致するとき、すなわち、検出電圧ＶRdが基準電圧Ｖrefと一致するときの周波数（定格点灯周波数）ｆｘに落ち着くことになる。これ以降、制御回路１７は共振電流（電力変換回路９の出力電流）を基準電圧Ｖrefで決まる所望のレベルに一致させるように駆動回路１６の動作周波数ｆinvをフィードバック制御して無電極放電灯６を安定点灯させる。なお、始動回路１３のコンデンサＣ１の両端電圧Ｖc1は、動作電圧Ｖｄを抵抗Ｒ１，Ｒ２で分圧した電圧までしか増加しないので、この分圧電圧と無電極放電灯６の点灯時における電圧検出回路１４の検出電圧Ｖxsとの電位差が駆動回路１６の入力端子電圧よりも高電圧となるようにしておけば、始動回路１３が動作周波数ｆinvの減少を終了した後は制御回路１７のみで駆動回路１６を制御することとなり、無電極放電灯６の点灯時における制御回路１７の制御が簡単になるという利点がある。
【００３６】
また、主回路部Ｅ並びに電力変換回路９は、スイッチング素子Ｑ６，Ｑ３，Ｑ４などの回路部品をプリント配線板５０に実装して構成され、図２に示すように金属材料によって箱状に形成されたケース６０の内部に収納される。プリント配線板５０は各回路部品間の電気配線となる導体パターン（図示せず）が表面（若しくは表裏両面）に形成されている。さらに、ケース６０の内部は回路部品のリードが隠れる程度までウレタン樹脂２００が充填されて封止されている。
【００３７】
次に本実施形態の要旨となる構成について説明する。
【００３８】
本実施形態は、プリント配線板５０に形成された導体パターンにおける直流電圧が印加される１乃至複数箇所に、経時的な劣化が相対的に進行し易く且つ寿命末期には劣化によって断線する寿命時断線部３０が設けられている点に特徴がある。また、図１に示すように、主回路部Ｅの出力端間に２つの分圧抵抗Ｒ１１，Ｒ１２の直列回路が接続されるとともに、一方の分圧抵抗Ｒ１１と主回路部Ｅの高電位側の出力端との間に前記寿命時断線部３０が挿入され、主回路部Ｅの出力電圧Ｖdcを分圧抵抗Ｒ１１，Ｒ１２で分圧した検出電圧Ｖｍが制御部１００に入力されている。制御部１００は、検出電圧Ｖｍが所望の値となるように駆動回路２から出力する駆動信号のオンデューティ比を調整するフィードバック制御（ＰＷＭ制御）を行うものであって、寿命時断線部３０が断線して検出電圧Ｖｍがゼロとなったときに駆動回路２による駆動信号の出力を停止させると同時に駆動回路１６による駆動信号の出力を停止させることで主回路部Ｅ並びに電力変換回路９の双方の動作を停止させる。
【００３９】
寿命時断線部３０は、例えば、図３（ａ）に示すように導体パターン５１が形成されたプリント配線板５０の表面に絶縁性を有する塗料をシルク印刷することで保護膜６１を形成する際、導体パターン５１を幅方向に横切り且つ保護膜６１が存在しないスリットを設けて形成されている。つまり、ケース６０内部を封止するウレタン樹脂２００が回路部品から発生する熱や空気中に含まれる水分によって加水分解されて酸を発生し、かかる酸がプリント配線板５０の導体パターン５１等を腐食させてしまうことがあるが、導体パターン５１において寿命時断線部３０以外の部分は保護膜６１で覆われているために酸によって腐食され難いのに対して、スリットの部分では保護膜６１がないために周囲よりも電界が若干強くなって酸を引き寄せるから、スリットによって保護膜６１で覆われていない部分が腐食され易くなり、その結果、寿命時断線部３０が相対的に早く劣化が進行して断線することになる。
【００４０】
したがって、劣化したときの影響が他の部分に比べて少ない箇所に寿命時断線部３０を設けておけば、装置が寿命に達したときに他の部分よりも先に寿命時断線部３０が断線して主回路部Ｅ並びに電力変換回路９を停止させることができるから、劣化したときの影響が多い危険な箇所が寿命に達した後も継続して使用されることを防ぐことができ、しかも、主回路部Ｅ並びに電力変換回路９が停止することで無電極放電灯６が点灯しなくなるから、装置が寿命に達したことを使用者に容易に知らしめることができる。また、寿命に達したか否かの判定を導体パターン５１の断線、すなわち、通電の有無で行うことにより、特定回路部品や電気特性の変化等に着目して判定する場合に比べて環境変化や一時的な特性変化、ばらつきに左右されること無しに確実且つ明確な寿命判定が行える。しかも、寿命時断線部３０については追加の部品無しに簡単な構造で形成できるから小型且つ安価になるという利点がある。さらに、寿命時断線部３０の劣化の進行度合いを導体パターン５１の幅寸法等に応じて調整可能であるから、主回路部Ｅや電力変換回路９の動作と独立して寿命設計ができるという利点もある。
【００４１】
ここで、ガラスバルブ内にフィラメントを納装した白熱灯や有極の放電灯の場合、通常、フィラメントが劣化して不点となるためにランプ寿命を容易に知ることができるが、フィラメントを持たない無電極放電灯の場合、寿命末期に光束が徐々に低下はするもののフィラメントがないために不点とはならず、ランプ寿命を超えて使用される可能性が高い。そして、無電極放電灯６がランプ寿命を超えて使用された場合、光束不足となるだけでなく、電力変換回路９の回路部品に過大なストレスがかかって破壊されたり、あるいは、誘導コイル５の被覆が劣化して地絡するといった不都合な状況に至る虞がある。また、無電極放電灯点灯装置では、有極の放電灯を点灯する放電灯点灯装置に比べて負荷の寿命が長い分だけ、当該放電灯点灯装置では起こり得なかったような故障が生じることも想定され、故障によって危険な状況が発生する可能性が高くなると考えられる。したがって、本実施形態のように寿命時断線部３０が断線して主回路部Ｅ並びに電力変換回路９の動作を停止することで無電極放電灯６を不点にすれば、装置が寿命に達したことを確実に使用者に知らしめることができて安全性の向上が図れるものである。
【００４２】
また本実施形態では、直流の印加電圧が最も高くなる主回路部Ｅの出力端に寿命時断線部３０を設けているので、劣化が進行したときに確実に断線させることができ、しかも、交流電源ＡＣの定格電圧が異なる場合（例えば、１００Ｖ〜２４０Ｖなど）でも一定の電圧が印加されるから寿命の変化を抑えることができる。但し、寿命時断線部３０を設ける箇所は直流の高電圧が印加される箇所であればよく、例えば、断線に至るまでの時間が相対的に長くはなるが、分圧抵抗Ｒ１１，Ｒ１２の接続点に寿命時断線部３０を設けても構わないし、あるいは、主回路部Ｅの高電位側の出力端と電力変換回路９の入力端との間に寿命時断線部３０を設けても構わない。
【００４３】
また寿命時断線部３０の構造についても、図３（ｂ）に示すように保護膜６１を導体パターン５１の周辺部分にのみ形成してもよいし、同図（ｃ）に示すように導体パターン５１に対してスリットを直交させずに傾けたり、同図（ｄ）に示すようにスリットを略Ｓ字状としたり、同図（ｅ）に示すようにコ字状に形成された導電パターン５１を跨ぐようにスリットを形成することで寿命時断線部３０を複数（２つ）形成したり、あるいは、同図（ｆ）に示すように２つのスリットを平行に並べて寿命時断線部３０を２つ形成しても構わない。特に、寿命時断線部３０を複数設ければ、寿命時に導体パターン５１を確実に断線させることができる。
【００４４】
ところで、上述のようにプリント配線板５０の表面に保護膜６１をシルク印刷した場合、プリント配線板５０の表面に印刷されている回路部品の記号等が判読しづらくなるので、図４（ａ）〜（ｅ）に示すように導体パターン５１を部分的に細くすることで寿命時断線部３０を形成しても良い。この場合も、図４（ｅ）に示すように寿命時断線部３０を複数設ければ、寿命時に導体パターン５１を確実に断線させることができる。
【００４５】
あるいは、図５（ａ）〜（ｂ）示すように導体パターン５１を幅方向に挟む形で一対の電極５２，５２をプリント配線板５０に形成し、かかる電極５２，５２間に低電圧を印加して電界をかけることでウレタン樹脂２００の加水分解によって生じた酸を引き寄せて劣化（腐食）を進行させる構造の寿命時断線部３０としても良いし、同図（ｃ）に示すように導体パターン５１を挟んで対向するグランドと電極５２間に低電圧を印加する構造としても構わない。かかる構造の寿命時断線部３０であれば、図４に示した構造に比べて導体パターン５１の幅寸法を自由に設計できるとともにプリント配線板５０の表面に印刷されている回路部品の記号等が判読しづらくなることもない。また、電極５２，５２間の距離や電位差によって断線に至るまでの時間（寿命）を調整することができる。
【００４６】
また、プリント配線板５０においては回路部品を半田付けするためのランドを除く部分が導体パターン５１を含めてソルダーレジストＳＲで覆われているが、図６に示すように当該ソルダーレジストＳＲを部分的に剥離するなどして導体パターン５１がむき出しとなる１乃至複数の部分を形成することで寿命時断線部３０を設けても構わない。但し、かかるむき出しとなる部分には半田が付着しないようにする必要がある。
【００４７】
ところで、寿命時断線部３０が断線するまでの時間（寿命）は、無電極放電灯点灯装置が設置される場所や使用環境の温度並びに湿度によって変化する。一般に温度に対する寿命の推定にはアレニウスモデルが最も良く用いられており、寿命時断線部３０の寿命Ｌと使用温度Ｔとの間には、Ｌ∝ｅｘｐ（Ｅａ／ｋＴ）という関係が成り立つ（但し、ｋ：ボルツマン定数、Ｅａ：活性化エネルギ、Ｔ：絶対温度）。つまり、アレニウスモデルによれば、温度Ｔが高くなるほど寿命Ｌは短くなり、反対に温度Ｔが低くなるほど寿命Ｌは長くなる。また、湿度に対する寿命の推定にはアイリングモデルが最も良く用いられており、寿命時断線部３０の寿命Ｌと湿度ＲＨとの間には、Ｌ∝（ＲＨ）-nという関係が成り立つ。つまり、アイリングモデルによれば、湿度ＲＨが高くなるほど寿命Ｌは短くなり、反対に湿度ＲＨが低くなるほど寿命Ｌは長くなる。
【００４８】
ここで、図２（ｂ）に示すようにプリント配線板５０の反実装面（図２（ｂ）における下面）側で相対的に発熱量が多い回路部品（例えば、主回路部ＥのインダクタＬ１０）近傍の位置Ｗ１、プリント配線板５０の実装面（図２（ｂ）における上面）側で発熱量の多い回路部品から離れた位置Ｗ２、プリント配線板５０の反実装面側で発熱量が多い回路部品から離れた位置Ｗ３のそれぞれに寿命時断線部３０を設けた場合において、当該寿命時断線部３０の寿命ＬW1，ＬW2，ＬW3を各々温度と湿度をパラメータとして推定した結果を図７（ａ），（ｂ）にそれぞれ示す。なお、位置Ｗ１は相対的に最も高温となる箇所であり、位置Ｗ２はウレタン樹脂２００の厚みが薄いために相対的に最も湿度の影響を受けやすい箇所であり、位置Ｗ３は位置Ｗ１，Ｗ２に比較して温湿度の影響を受けにくい箇所である。但し、位置Ｗ３の寿命時断線部３０については、位置Ｗ１，Ｗ２の寿命時断線部３０よりも導体パターン５１の幅寸法を細くするなどして劣化が進行しやすくしてある。また、図７（ａ），（ｂ）における曲線Ｘは、寿命時断線部３０の断線に対応する活性化エネルギと異なる活性化エネルギを有した劣化による寿命の推定結果である。
【００４９】
図７（ａ），（ｂ）に示すように温度並びに湿度の高低によって寿命が逆転しており、例えば、位置Ｗ１にのみ寿命時断線部３０を設けた場合、低温度域や低湿度域において寿命時断線部３０が断線する前に別の箇所が劣化して寿命に至ってしまい（曲線Ｘ参照）、予測し得ない不具合が発生してしまう虞がある。ここで、温度並びに湿度の影響を受けにくい箇所（位置Ｗ３）の寿命時断線部３０を劣化し易くしているから、相対的に低温度又は低湿度の条件では位置Ｗ３の寿命ＬW3が最も短くなると推定される。一方、相対的に高温度の条件では位置Ｗ１の寿命ＬW1が最も短くなると推定され、相対的に高湿度の条件では位置Ｗ２の寿命ＬW2が最も短くなると推定されるから（図７（ｂ）参照）、図２（ｂ）に示すように複数箇所（位置Ｗ１，Ｗ２，Ｗ３）に寿命時断線部３０を設けるとともに、温度並びに湿度の影響を受けにくい箇所（位置Ｗ３）の寿命時断線部３０を劣化し易くすれば、図７（ａ），（ｂ）において太い実線イ，ロで示すようにあらゆる温度域及び湿度域で寿命時断線部３０が最も早く劣化して断線するように設定することが可能であり、予測し得ない不具合が発生する前に主回路部Ｅ並びに電力変換回路９を停止させることができる。
【００５０】
なお、湿度の影響を受けやすくするために、図２（ｃ）に示すように寿命時断線部３０が設けられた位置Ｗ２におけるウレタン樹脂２００の厚みを部分的に薄くしても構わない。
【００５１】
（実施形態２）
図８に本実施形態の無電極放電灯点灯装置の回路図を示す。但し、本実施形態の基本構成は実施形態と共通であるから、共通の構成要素については同一の符号を付して説明を省略する。
【００５２】
本実施形態では、主回路部Ｅの出力電圧Ｖdcに比例した検出電圧Ｖｍが寿命時断線部３０の断線によってゼロになったときに交流電源ＡＣから主回路部Ｅへの給電を停止させる寿命検出停止回路４０を備えている。この寿命検出停止回路４０は、主回路部Ｅの出力電圧Ｖdcを分圧する分圧抵抗Ｒ４０，Ｒ４１と、分圧抵抗Ｒ４０，Ｒ４１の接続点から取り出される検出電圧Ｖｎがマイナス端子に入力されるとともに基準電圧Ｖｆがプラス端子に入力されるコンパレータＣＰ１と、コンパレータＣＰ１の出力端に接続された抵抗Ｒ１３並びにコンデンサＣ１１からなる遅延回路と、遅延回路の出力端にアノードが接続され且つカソードがスイッチング素子Ｑ６のゲートに接続されたダイオードＤ１１とを具備する。
【００５３】
而して、寿命時断線部３０が断線していない状態では検出電圧Ｖｎが常に基準電圧Ｖｆを超えているためにコンパレータＣＰ１の出力がローレベルとなり、主回路部Ｅのスイッチング素子Ｑ６は制御部１００によってスイッチング制御されるが、寿命時断線部３０が断線すると検出電圧Ｖｎがゼロとなって基準電圧Ｖｆを下回るためにコンパレータＣＰ１の出力がハイレベルとなり、主回路部Ｅのスイッチング素子Ｑ６が常にオンすることになる。そして、スイッチング素子Ｑ６が常にオンした状態でしばらく通電されると、交流電源ＡＣと主回路部Ｅとの間に挿入されているフューズＦが切れるから、交流電源ＡＣから主回路部Ｅへの給電が停止する。すなわち、実施形態１では寿命時断線部３０が断線したときに制御部１００が主回路部Ｅと電力変換回路９の動作を停止しているものの、主回路部Ｅの出力端には交流電源ＡＣの電源電圧が印加され続けるから、寿命時断線部３０が断線した後も電源電圧の印加によって回路部品の劣化が進行してしまう場合があるが、本実施形態では寿命時断線部３０が断線してフューズＦが切れた後は回路部品に電圧が印加されず、電圧印加による劣化の進行が防止できる。
【００５４】
また、本実施形態では主回路部Ｅの出力電圧Ｖdcを降圧して直流の動作電源を作成する制御電源回路１１０を備え、制御電源回路１１０で作成した動作電源によって制御部１００が動作していることから、図８に示すように制御電源回路１１０の入力端に寿命時断線部３０を設け、寿命時断線部３０が断線したときに制御電源回路１１０が停止するようにしても良い。つまり、制御電源回路１１０が停止すれば動作電源が供給されなくなり、制御部１００が動作を停止することで主回路部Ｅ並びに電力変換回路９も停止することになる。
【００５５】
（実施形態３）
実施形態１で説明したように、寿命時断線部３０が寿命に達して断線するまでの期間（寿命）は温度が高いほど短くなり、温度が低いほど長くなる傾向にある。したがって、回路部品周辺の雰囲気温度を検出し、当該温度が相対的に高ければ寿命時断線部３０の寿命を相対的に長くし、当該温度が相対的に低ければ寿命時断線部３０の寿命を相対的に短くなるように調整すれば、実施形態１のように温度が異なる複数の箇所に各々寿命時断線部３０を設けなくても、あらゆる温度域で寿命時断線部３０が最も早く劣化して断線するように設定することが可能となり、予測し得ない不具合が発生する前に主回路部Ｅ並びに電力変換回路９を停止させることができる。
【００５６】
そこで本実施形態では、周囲の温度を検出する検出手段と、検出手段の検出値が所定のしきい値以下のときに寿命時断線部３０における導体パターン５１の幅寸法を見かけ上細くする手段とを備えている。具体的には、図９に示すように検出手段たる正特性サーミスタＰＴＣと分圧抵抗Ｒ２０とで定電圧Ｖ０を分圧した電圧（検出電圧）ＶpsをコンパレータＣＰ２のマイナス端子に入力してプラス端子に入力されるしきい値電圧Ｖthと比較し、周囲温度（検出電圧Ｖps）が所定温度（しきい値電圧Ｖth）よりも低ければスイッチ要素Ｓ１をオンとし高ければオフとする。スイッチ要素Ｓ１は抵抗Ｒ２４を介して分圧抵抗Ｒ２１，Ｒ２２，Ｒ２３におけるＲ２１とＲ２２の接続点に接続されており、Ｒ２１，Ｒ２２におけるＲ２２，Ｒ２３の接続点がコンパレータＣＰ３のマイナス端子に接続されている。ここで、分圧抵抗Ｒ２１，Ｒ２２を接続する導体パターンが相対的に幅細く形成されている。したがって、スイッチ要素Ｓ１がオンしているときは分圧抵抗Ｒ２１，Ｒ２２の接続点に印加される電圧が相対的に低いために当該接続点の導体パターンが寿命時断線部３０よりも先に断線することはないが、スイッチ要素Ｓ１がオフしているときは分圧抵抗Ｒ２１，Ｒ２２の接続点に印加される電圧が相対的に高いために当該接続点の導体パターンが寿命時断線部３０よりも先に断線する。そして、分圧抵抗Ｒ２１，Ｒ２２の接続点の導体パターンが寿命時断線部３０よりも先に断線すれば、コンパレータＣＰ３のマイナス端子の入力がゼロになるためにコンパレータＣＰ３の出力がローレベルからハイレベルに切り替わる。
【００５７】
一方、一対の幅細の導体パターン５１ａ，５１ａと、片側の導体パターン５１ａに接続されたスイッチ要素Ｓ２と、もう片側の導体パターン５１ａに接続され且つスイッチ要素Ｓ２の内部抵抗値に等しい抵抗Ｒ２５とで寿命時断線部３０が形成されており、スイッチ要素Ｓ２がオンしていれば寿命時断線部３０の見かけ上の幅寸法が太くなり、スイッチ要素Ｓ２がオフしていれば寿命時断線部３０の見かけ上の幅寸法が細くなる。
【００５８】
したがって、雰囲気温度が相対的に高いときは寿命時断線部３０の見かけ上の幅寸法を太くすることで寿命時断線部３０の寿命を相対的に長くし、雰囲気温度が相対的に低いときは寿命時断線部３０の見かけ上の幅寸法を細くすることで寿命時断線部３０の寿命を相対的に短くすることができる。その結果、実施形態１のように温度が異なる複数の箇所に各々寿命時断線部３０を設けなくても、あらゆる温度域で寿命時断線部３０が最も早く劣化して断線するように設定することが可能となり、予測し得ない不具合が発生する前に主回路部Ｅ並びに電力変換回路９を停止させることができる。
【００５９】
あるいは図１０に示すように、実施形態２で説明した寿命検出停止回路４０において、分圧抵抗Ｒ１１，Ｒ１２の間に雰囲気温度の検出手段たる負特性サーミスタＮＴＣを挿入すれば、高温度域では負特性サーミスタＮＴＣの抵抗値が減少して寿命時断線部３０への印加電圧が低下することで寿命時断線部３０の寿命を相対的に長くし、低温度域では負特性サーミスタＮＴＣの抵抗値が増加して寿命時断線部３０への印加電圧が上昇することで寿命時断線部３０の寿命を相対的に短くすることができる。この構成であれば、スイッチ要素Ｓ１，Ｓ２などの追加が不要であるから、省スペース且つ低コストで実現できる。
【００６０】
または、図１１に示すように導体パターン５１の幅寸法を相対的に細くしてなる寿命時断線部３０と、寿命時断線部３０を挟んで対向配置された一対の電極５２，５２とを設け、主回路部Ｅの出力電圧Ｖdcを正特性サーミスタＰＴＣと分圧抵抗Ｒ３０で分圧した電圧を電極５２，５２間に印加すれば、高温度域では正特性サーミスタＰＴＣの抵抗値が増加して寿命時断線部３０にかかる電界が弱くなることで寿命時断線部３０の寿命を相対的に長くし、低温度域では正特性サーミスタＰＴＣの抵抗値が増加して寿命時断線部３０にかかる電界が強くなることで寿命時断線部３０の寿命を相対的に短くすることができる。この構成であれば、寿命時断線部３０に印加される電圧を変える必要がないから、回路のどの部分にでも寿命時断線部３０を設けることが可能である。
【００６１】
さらに、図１２に示すように寿命時断線部３０の近傍に発熱量の多い回路部品（図示例では抵抗Ｒ３１）を配置し、主回路部Ｅの出力電圧Ｖdcを分圧抵抗Ｒ３２と負特性サーミスタＮＴＣで分圧した電圧でダイオードＤ２０を介して抵抗Ｒ３１に直列接続されたスイッチ要素Ｓ３をオン・オフすれば、低温度域において負特性サーミスタＮＴＣの抵抗値が増加しダイオードＤ２０が導通してスイッチ要素Ｓ３がオンし、その結果、寿命時断線部３０の周囲温度が上昇して寿命時断線部３０の寿命を相対的に短くすることができる。この構成によれば、湿度の影響を考慮せずに温度の影響のみを考慮して寿命設計が行えるから誤差が減少するという利点がある。
【００６２】
（実施形態４）
実施形態１で説明したように、寿命時断線部３０が寿命に達して断線するまでの期間（寿命）は湿度が高いほど短くなり、湿度が低いほど長くなる傾向にある。したがって、回路部品周辺の湿度を検出し、当該湿度が相対的に高ければ寿命時断線部３０の寿命を相対的に長くし、当該湿度が相対的に低ければ寿命時断線部３０の寿命を相対的に短くなるように調整すれば、実施形態１のように湿度が異なる複数の箇所に各々寿命時断線部３０を設けなくても、あらゆる湿度域で寿命時断線部３０が最も早く劣化して断線するように設定することが可能となり、予測し得ない不具合が発生する前に主回路部Ｅ並びに電力変換回路９を停止させることができる。
【００６３】
そこで本実施形態では、周囲の湿度を検出する検出手段と、検出手段の検出値が低いときに寿命時断線部３０における導体パターン５１の幅寸法を見かけ上細くする手段とを備えている。具体的には、図１３に示すように分圧抵抗Ｒ４０，Ｒ４１，Ｒ４２で定電圧Ｖ０を分圧した電圧（検出電圧）ＶptをコンパレータＣＰ４のマイナス端子に入力してプラス端子に入力されるしきい値電圧Ｖthと比較するとともに分圧抵抗Ｒ４０と並列に接続された導体パターンからなる湿度検出部５４が接続され、分圧抵抗Ｒ４１，Ｒ４２の接続点の電圧がコンパレータＣＰ５のマイナス端子に入力されるとともに基準電圧Ｖｆがプラス端子に入力されている。ここで、湿度検出部５４は相対的に湿度が低いときに劣化の進行度合いが早くなるものであって、湿度が低いときは寿命時断線部３０よりも先に断線することはないが、湿度が高いときは寿命時断線部３０よりも先に断線する。そして、湿度検出部５４が寿命時断線部３０よりも先に断線すれば、コンパレータＣＰ５のマイナス端子に入力される電圧が相対的に低くなるためにコンパレータＣＰ５の出力がローレベルからハイレベルに切り替わる。
【００６４】
一方、一対の幅細の導体パターン５１ａ，５１ａと、片側の導体パターン５１ａに接続されたスイッチ要素Ｓ４とで寿命時断線部３０が形成されており、スイッチ要素Ｓ４がオンしていれば寿命時断線部３０の見かけ上の幅寸法が太くなり、スイッチ要素Ｓ４がオフしていれば寿命時断線部３０の見かけ上の幅寸法が細くなる。
【００６５】
したがって、湿度が相対的に高いときは寿命時断線部３０の見かけ上の幅寸法を太くすることで寿命時断線部３０の寿命を相対的に長くし、湿度が相対的に低いときは寿命時断線部３０の見かけ上の幅寸法を細くすることで寿命時断線部３０の寿命を相対的に短くすることができる。その結果、実施形態１のように湿度が異なる複数の箇所に各々寿命時断線部３０を設けなくても、あらゆる湿度域で寿命時断線部３０が最も早く劣化して断線するように設定することが可能となり、予測し得ない不具合が発生する前に主回路部Ｅ並びに電力変換回路９を停止させることができる。
【００６６】
あるいは、図１４に示すように分圧抵抗Ｒ４３と抵抗値が湿度に対して負特性を有する湿度検出部５５とで定電圧Ｖ０を分圧した電圧をコンパレータＣＰ６のマイナス端子に入力してプラス端子に入力されるしきい値電圧Ｖthと比較するとともに、寿命時断線部３０を挟んで直列接続された抵抗Ｒ４４，Ｒ４５と、一方の抵抗Ｒ４５に抵抗Ｒ４６を介して並列接続されたスイッチ要素Ｓ５とを設ければ、高湿度域では湿度検出部５５の抵抗値が減少してコンパレータＣＰ６のマイナス端子に入力される電圧が相対的に低くなるためにコンパレータＣＰ６の出力がローレベルからハイレベルに切り替わってスイッチ要素Ｓ５がオンとなり、寿命時断線部３０の印加電圧が低下することで寿命時断線部３０の寿命を相対的に長くし、低湿度域では湿度検出部５５の抵抗値が増加してコンパレータＣＰ６のマイナス端子に入力される電圧が相対的に高くなるためにコンパレータＣＰ６の出力がハイレベルからローレベルに切り替わってスイッチ要素Ｓ５がオフとなり、寿命時断線部３０の印加電圧が上昇することで寿命時断線部３０の寿命を相対的に短くすることができる。
【００６７】
または、図１５に示すように導体パターン５１の幅寸法を相対的に細くしてなる寿命時断線部３０と、寿命時断線部３０を挟んで対向配置された一対の電極５２，５２とを設け、所定の定電圧Ｖ０を湿度検出部５５と分圧抵抗Ｒ４７で分圧した電圧を電極５２，５２間に印加すれば、高湿度域では湿度検出部５５の抵抗値が増加して寿命時断線部３０にかかる電界が弱くなることで寿命時断線部３０の寿命を相対的に長くし、低湿度域では湿度検出部５５の抵抗値が減少して寿命時断線部３０にかかる電界が強くなることで寿命時断線部３０の寿命を相対的に短くすることができる。
【００６８】
ところで、実施形態１〜４の無電極放電灯点灯装置は、図１６（ｂ）に示すようにケース６０から導出されたケーブル６１にランプソケット６２が接続され、このランプソケット６２に、同図（ａ）に示すような無電極放電灯６が着脱自在に装着される。無電極放電灯６は、内側に円筒形状の空洞部６ｂを有し内部に放電ガスが封入されたガラスバルブ６ａを備え、無電極放電灯点灯装置からケーブル６１を介して空洞部６ｂ内に配置されている誘導コイル５に高周波電力を供給し、ガラスバルブ６ａ内に封入されている放電ガスに高周波磁界をかけることで放電が生じて点灯する。
【００６９】
また、図１７は本発明に係る照明器具を示し、扁平な略円筒形状であって内部に無電極放電灯点灯装置を収納し且つ一端面にランプソケット６２が設けられた器具本体２００と、ランプソケット６２を囲むように器具本体２００に取り付けられた円錐台形状のプリズム２０１と、ランプソケット６２とプリズム２０１を囲むように器具本体２００に取り付けられた略椀形のグローブ２０２とを備えている。但し、器具本体２００内に収納される無電極放電灯点灯装置は、実施形態１〜４の何れのものであっても構わない。
【図面の簡単な説明】
【００７０】
【図１】本発明に係る無電極放電灯点灯装置の実施形態１を示す回路図である。
【図２】同上を示し、（ａ）は平面図、（ｂ）は断面図、（ｃ）は別構成の寿命時断線部を有する場合の一部省略した断面図である。
【図３】（ａ）〜（ｆ）はそれぞれ寿命時断線部の具体的構成例を示す平面図である。
【図４】（ａ）〜（ｅ）はそれぞれ寿命時断線部の別の具体的構成例を示す平面図である。
【図５】（ａ）〜（ｃ）はそれぞれ寿命時断線部のさらに別の具体的構成例を示す平面図である。
【図６】（ａ），（ｂ）はそれぞれ寿命時断線部のさらにまた別の具体的構成例を示す平面図である。
【図７】（ａ），（ｂ）は温度並びに湿度と寿命との関係を示すグラフである。
【図８】本発明に係る無電極放電灯点灯装置の実施形態２を示す回路図である。
【図９】本発明に係る無電極放電灯点灯装置の実施形態３における要部の回路図である。
【図１０】同上における要部の別の構成を示す回路図である。
【図１１】同上における要部のさらに別の構成を示す回路図である。
【図１２】同上における要部のさらまた別の構成を示す回路図である。
【図１３】本発明に係る無電極放電灯点灯装置の実施形態４における要部の回路図である。
【図１４】同上における要部の別の構成を示す回路図である。
【図１５】同上における要部のさらに別の構成を示す回路図である。
【図１６】同上を示し、（ａ）は無電極放電灯の断面図、（ｂ）は無電極放電灯点灯装置の外観斜視図である。
【図１７】本発明に係る照明器具を示す半断面図である。
【符号の説明】
【００７１】
Ｅ  主回路部
５  誘導コイル
６  無電極放電灯
３０  寿命時断線部
１００  制御部
【図１】
2007288978.tif 000003
【図２】
2007288978.tif 000004
【図３】
2007288978.tif 000005
【図４】
2007288978.tif 000006
【図５】
2007288978.tif 000007
【図６】
2007288978.tif 000008
【図７】
2007288978.tif 000009
【図８】
2007288978.tif 000010
【図９】
2007288978.tif 000011
【図１０】
2007288978.tif 000012
【図１１】
2007288978.tif 000013
【図１２】
2007288978.tif 000014
【図１３】
2007288978.tif 000015
【図１４】
2007288978.tif 000016
【図１５】
2007288978.tif 000017
【図１６】
2007288978.tif 000018
【図１７】
2007288978.tif 000019